(57)【要約】【課題】撮影者の意図する撮影を行い易くすることが可能な撮像装置及び撮像システムを提供することを目的とする。【解決手段】撮像部１１と、撮像部１１の撮像方向を正面方向、その正面方向と反対方向を背面方向と定義するとき、画像の表示方向が正面方向となるように配置される表示部１２と、画像の表示方向が背面方向となるように配置され、撮像部１１により撮像される画像を表示する表示部１３と、画像を記憶する記憶部１４と、入力部１５と、入力部１５により入力される指示に基づいて記憶部１４に記憶される画像に対して画像処理を施すとともに、該画像処理後の画像を表示部１２に表示させる制御部１６とを備えて撮像装置１０を構成する。【選択図】図１
2013126018.tif 000002
【特許請求の範囲】
【請求項１】
第１撮像部と、
前記第１撮像部の撮像方向を正面方向、その正面方向と反対方向を背面方向と定義するとき、画像の表示方向が前記正面方向となるように配置される第１表示部と、
画像の表示方向が前記背面方向となるように配置され、前記第１撮像部により撮像される画像を表示する第２表示部と、
画像を記憶する記憶部と、
第１入力部と、
前記第１入力部により入力される第１指示に基づいて、前記記憶部に記憶される画像に対して画像処理を施すとともに、該画像処理後の画像を前記第１表示部に表示させる制御部と、
を備える撮像装置。
【請求項２】
請求項１に記載の撮像装置であって、
前記第１入力部は、前記撮像装置の中心部からみて前記正面方向側に位置する面上に配置されている
ことを特徴とする撮像装置。
【請求項３】
請求項２に記載の撮像装置であって、
撮像方向が前記背面方向となるように配置される第２撮像部を備え、
前記記憶部は、前記第２撮像部により間引き撮像で撮像される画像を記憶し、
前記制御部は、前記第１入力部により入力される第１指示に基づいて、前記記憶部に記憶される前記第２撮像部により間引き撮像で撮像される画像に対して画像処理を施すとともに、該画像処理後の画像を前記第１表示部に表示させる
ことを特徴とする撮像装置。
【請求項４】
請求項３に記載の撮像装置であって、
前記制御部は、前記第１指示に基づいて前記第１表示部に画像を表示させている間に、第２指示を受け付けた場合、前記間引き撮像よりも間引き率が低く、又は、間引きされないで、前記第１撮像部により撮像される画像を前記記憶部に記憶させる
ことを特徴とする撮像装置。
【請求項５】
請求項４に記載の撮像装置であって、
前記制御部は、前記第２指示を受け付けた場合、前記第１表示部に表示されている画像 を前記記憶部に記憶させる
ことを特徴とする撮像装置。
【請求項６】
請求項２に記載の撮像装置であって、
前記記憶部は、前記第１撮像部により間引き撮像で撮像される画像を記憶し、
前記制御部は、前記第１入力部により入力される第１指示に基づいて、前記記憶部に記憶される前記第１撮像部により間引き撮像で撮像される画像に対して画像処理を施すとともに、該画像処理後の画像を前記第１表示部に表示させる
ことを特徴とする撮像装置。
【請求項７】
請求項６に記載の撮像装置であって、
前記制御部は、前記第１指示に基づいて前記第１表示部に画像を表示させている間に、第２指示を受け付けた場合、前記間引き撮像よりも間引き率が低く、又は、間引きされないで、前記第１撮像部に撮像される撮像される画像を前記記憶部に記憶させる
ことを特徴とする撮像装置。
【請求項８】
請求項７に記載の撮像装置であって、
前記制御部は、前記第２指示を受け付けた場合、前記第１表示部に表示されている画像を前記記憶部に記憶させる
ことを特徴とする撮像装置。
【請求項９】
請求項１に記載の撮像装置であって、
さらに、分類部を備え、
前記記憶部は、複数のグループのいずれに属するかが判別できる状態で画像を記憶し、
前記分類部は、前記第１撮像部により撮像される画像が、前記複数のグループのうちのどのグループに属するかを判断し、
前記制御部は、前記分類部により判断されるグループに対応する画像を前記記憶部から取り出し、その取り出した画像を前記第１表示部に表示させる
ことを特徴とする撮像装置。
【請求項１０】
請求項９に記載の撮像装置であって、
さらに、外部端末から送信される画像を受信する通信部を備え、
前記記憶部は、前記通信部により受信される画像を、前記複数のグループのいずれに属するかが判別できる状態で記憶する
ことを特徴とする撮像装置。
【請求項１１】
請求項２乃至請求項１０の何れか１項に記載の撮像装置であって、
前記第１表示部及び前記第１入力部は、タッチパネルディスプレイである
ことを特徴とする撮像装置。
【請求項１２】
請求項１１に記載の撮像装置であって、
前記制御部は、前記タッチパネルディスプレイにタッチされる位置に基づいて前記記憶部に記憶される画像に対して、異なる画像を重畳させる
ことを特徴とする撮像装置。
【請求項１３】
請求項２に記載の撮像装置であって、
さらに、第２入力部を備え、
前記制御部は、前記第２入力部により入力される第１指示に基づいて、前記記憶部に記憶される画像に対して画像処理を施すとともに、該画像処理後の画像を前記第１表示部に表示させる
ことを特徴とする撮像装置。
【請求項１４】
請求項１３に記載の撮像装置であって、
前記第２入力部は、前記撮像装置の中心部からみて前記背面方向側に位置する面上に配置されている
ことを特徴とする撮像装置。
【請求項１５】
請求項１４に記載の撮像装置であって、
撮像方向が前記背面方向となるように配置される第２撮像部を備え、
前記記憶部は、前記第２撮像部により間引き撮像で撮像される画像を記憶し、
前記制御部は、前記第２入力部により入力される第１指示に基づいて、前記記憶部に記憶される前記第２撮像部により間引き撮像で撮像される画像に対して画像処理を施すとともに、該画像処理後の画像を前記第１表示部に表示させる
ことを特徴とする撮像装置。
【請求項１６】
請求項１５に記載の撮像装置であって、
前記制御部は、前記第１指示に基づいて前記第１表示部に画像を表示させている間に、第２指示を受け付けた場合、前記間引き撮像よりも間引き率が低く、又は、間引きされないで、前記第１撮像部により撮像される画像を前記記憶部に記憶させる
ことを特徴とする撮像装置。
【請求項１７】
請求項１６に記載の撮像装置であって、
前記制御部は、前記第２指示を受け付けた場合、前記第１表示部に表示されている画像 を前記記憶部に記憶させる
ことを特徴とする撮像装置。
【請求項１８】
請求項１４に記載の撮像装置であって、
前記記憶部は、前記第１撮像部により間引き撮像で撮像される画像を記憶し、
前記制御部は、前記第２入力部により入力される第１指示に基づいて、前記記憶部に記憶される前記第１撮像部により間引き撮像で撮像される画像に対して画像処理を施すとともに、該画像処理後の画像を前記第１表示部に表示させる
ことを特徴とする撮像装置。
【請求項１９】
請求項１８に記載の撮像装置であって、
前記制御部は、前記第１指示に基づいて前記第１表示部に画像を表示させている間に、第２指示を受け付けた場合、前記間引き撮像よりも間引き率が低く、又は、間引きされないで、前記第１撮像部により撮像される画像を前記記憶部に記憶させる
ことを特徴とする撮像装置。
【請求項２０】
請求項１９に記載の撮像装置であって、
前記制御部は、前記第２指示を受け付けた場合、前記第１表示部に表示されている画像を前記記憶部に記憶させる
ことを特徴とする撮像装置。
【請求項２１】
請求項１４に記載の撮像装置であって、
さらに、分類部を備え、
前記記憶部は、複数のグループのいずれに属するかが判別できる状態で画像を記憶し、
前記分類部は、前記第１撮像部により撮像される画像が、前記複数のグループのうちのどのグループに属するかを判断し、
前記制御部は、前記分類部により判断されるグループに対応する画像を前記記憶部から取り出し、その取り出した画像を前記第１表示部に表示させる
ことを特徴とする撮像装置。
【請求項２２】
請求項２１に記載の撮像装置であって、
さらに、外部端末から送信される画像を受信する通信部を備え、
前記記憶部は、前記通信部により受信される画像を、前記複数のグループのいずれに属するかが判別できる状態で記憶する
ことを特徴とする撮像装置。
【請求項２３】
請求項１４乃至請求項２２の何れか１項に記載の撮像装置であって、
前記第２表示部及び前記第２入力部は、タッチパネルディスプレイである
ことを特徴とする撮像装置。
【請求項２４】
請求項２３に記載の撮像装置であって、
前記制御部は、前記タッチパネルディスプレイにタッチされる位置に基づいて前記記憶部に記憶される画像に対して、異なる画像を重畳させる
ことを特徴とする撮像装置。
【請求項２５】
請求項１に記載の撮像装置であって、
前記第１入力部は、前記撮像装置の中心部からみて前記背面方向側に位置する面上に配置されている
ことを特徴とする撮像装置。
【請求項２６】
請求項２５に記載の撮像装置であって、
撮像方向が前記背面方向となるように配置される第２撮像部を備え、
前記記憶部は、前記第２撮像部により間引き撮像で撮像される画像を記憶し、
前記制御部は、前記第１入力部により入力される第１指示に基づいて、前記記憶部に記憶される前記第２撮像部により間引き撮像で撮像される画像に対して画像処理を施すとともに、該画像処理後の画像を前記第１表示部に表示させる
ことを特徴とする撮像装置。
【請求項２７】
請求項２６に記載の撮像装置であって、
前記制御部は、前記第１指示に基づいて前記第１表示部に画像を表示させている間に、第２指示を受け付けた場合、前記間引き撮像よりも間引き率が低く、又は、間引きされないで、前記第１撮像部により撮像される画像を前記記憶部に記憶させる
ことを特徴とする撮像装置。
【請求項２８】
請求項２７に記載の撮像装置であって、
前記制御部は、前記第２指示を受け付けた場合、前記第１表示部に表示されている画像を前記記憶部に記憶させる
ことを特徴とする撮像装置。
【請求項２９】
請求項２５に記載の撮像装置であって、
前記記憶部は、前記第１撮像部により間引き撮像で撮像される画像を記憶し、
前記制御部は、前記第１入力部により入力される第１指示に基づいて、前記記憶部に記憶される前記第１撮像部により間引き撮像で撮像される画像に対して画像処理を施すとともに、該画像処理後の画像を前記第１表示部に表示させる
ことを特徴とする撮像装置。
【請求項３０】
請求項２９に記載の撮像装置であって、
前記制御部は、前記第１指示に基づいて前記第１表示部に画像を表示させている間に、第２指示を受け付けた場合、前記間引き撮像よりも間引き率が低く、又は、間引きされないで、前記第１撮像部により撮像される画像を前記記憶部に記憶させる
ことを特徴とする撮像装置。
【請求項３１】
請求項３０に記載の撮像装置であって、
前記制御部は、前記第２指示を受け付けた場合、前記第１表示部に表示されている画像を前記記憶部に記憶させる
ことを特徴とする撮像装置。
【請求項３２】
請求項２５に記載の撮像装置であって、
さらに、分類部を備え、
前記記憶部は、複数のグループのいずれに属するかが判別できる状態で画像を記憶し、
前記分類部は、前記第１撮像部により撮像される画像が、前記複数のグループのうちのどのグループに属するかを判断し、
前記制御部は、前記分類部により判断されるグループに対応する画像を前記記憶部から取り出し、その取り出した画像を前記第１表示部に表示させる
ことを特徴とする撮像装置。
【請求項３３】
請求項３２に記載の撮像装置であって、
さらに、外部端末から送信される画像を受信する通信部を備え、
前記記憶部は、前記通信部により受信される画像を、前記複数のグループのいずれに属するかが判別できる状態で記憶する
ことを特徴とする撮像装置。
【請求項３４】
請求項２５乃至請求項３３の何れか１項に記載の撮像装置であって、
前記第２表示部及び前記第１入力部は、タッチパネルディスプレイである
ことを特徴とする撮像装置。
【請求項３５】
請求項３４に記載の撮像装置であって、
前記制御部は、前記タッチパネルディスプレイにタッチされる位置に基づいて前記記憶部に記憶される画像に対して、異なる画像を重畳させる
ことを特徴とする撮像装置。
【請求項３６】
請求項１に記載の撮像装置であって、
前記第１表示部及び前記第１入力部は、タッチパネルディスプレイである
ことを特徴とする撮像装置。
【請求項３７】
請求項３６に記載の撮像装置であって、
前記制御部は、前記タッチパネルディスプレイにタッチされる位置に基づいて前記記憶部に記憶される画像に対して、異なる画像を重畳させる
ことを特徴とする撮像装置。
【請求項３８】
請求項１乃至請求項３７の何れか１項に記載の撮像装置であって、
前記制御部は、前記第１入力部により入力される指示に基づいて前記記憶部に記憶される画像に別の画像を重畳させる
ことを特徴とする撮像装置。
【請求項３９】
請求項１乃至請求項３７の何れか１項に記載の撮像装置であって、
前記制御部は、前記第１入力部により入力される指示に基づいて前記記憶部に記憶される画像を変形する
ことを特徴とする撮像装置。
【請求項４０】
請求項１乃至請求項３７の何れか１項に記載の撮像装置であって、
さらに、音声出力部を備え、
前記制御部は、前記第１入力部により入力される指示に基づいて前記音声出力部から音声を出力させる
ことを特徴とする撮像装置。
【請求項４１】
請求項１乃至請求項３７の何れか１項に記載の撮像装置であって、
前記第１入力部は、音声による指示を入力する
ことを特徴とする撮像装置。
【請求項４２】
請求項１に記載の撮像装置であって、
前記第１撮像部は、３６０度全方位を撮像し、
前記制御部は、前記第１撮像部により撮像される前記正面方向の画像を前記第２表示部に表示させ、前記第１撮像部により撮像される前記背面方向の画像を前記第１表示部に表示させる
ことを特徴とする撮像装置。
【請求項４３】
請求項１乃至請求項４２の何れか１項に記載の撮像装置であって、
前記記憶部は、当該撮像装置から着脱可能なメモリである
ことを特徴とする撮像装置。
【請求項４４】
請求項４、請求項７、請求項１６、請求項１９、請求項２７、請求項３０の何れか１項に記載の撮像装置であって、
前記制御部は、前記第２指示を、前記第１入力部から受け付ける
ことを特徴とする撮像装置。
【請求項４５】
請求項４又は請求項７に記載の撮像装置であって、
さらに、前記撮像装置の中心部からみて前記背面方向側に位置する面上に配置されている第２入力部を備え、
前記制御部は、前記第２指示を、前記第２入力部から受け付ける
ことを特徴とする撮像装置。
【請求項４６】
請求項１６又は請求項１９に記載の撮像装置であって、
前記制御部は、前記第２指示を、前記第１入力部から受け付ける
ことを特徴とする撮像装置。
【請求項４７】
請求項２７又は請求項３０に記載の撮像装置であって、
さらに、前記撮像装置の中心部からみて前記正面方向側に位置する面上に配置されている第２入力部を備え、
前記制御部は、前記第２指示を、前記第２入力部から受け付ける
ことを特徴とする撮像装置。
【請求項４８】
第１撮像部と、前記第１撮像部の撮像方向を正面方向と定義するとき、画像を表示する表示方向が前記正面方向となるように配置される第１表示部と、画像を記憶する記憶部と、第１通信部とを備える第１撮像装置と、
入力部と、前記第１撮像部により撮像される画像及び前記入力部により入力される指示を前記第１通信部との間で送受信する第２通信部と、前記第１撮像部により撮像される画像を表示する第２表示部とを備える第２撮像装置と、
前記第１及び第２撮像装置を互いに連結する連結部と、
を備え、
前記第１撮像装置は、前記入力部により入力される指示に基づいて前記記憶部に記憶される画像に対して画像処理を施すとともに、該画像処理後の画像を前記第１表示部に表示させる制御部をさらに備える
ことを特徴とする撮像システム。
【発明の詳細な説明】
【技術分野】
【０００１】
本発明は、２つの表示部を備える撮像装置及び撮像システムに関する。
【背景技術】
【０００２】
近年、生後間もない赤ん坊、まだ文字を理解できない子供、母国語が異なる人、又は動物など言葉が通じ難い被写体を撮影する際、その被写体の顔を撮像装置に向かせようとする機能を備える撮像装置が提案されている。例えば、撮影者が撮像後の画像を確認するための表示部の他に、被写体側から視認可能な表示部を備え、その被写体側の表示部に子供が喜ぶキャラクタ画像などを表示する撮像装置が提案されている（例えば、特許文献１参照）。
【先行技術文献】
【特許文献】
【０００３】
【特許文献１】特開２００１−２５７９１１号公報
【発明の概要】
【発明が解決しようとする課題】
【０００４】
しかしながら、上述のように、撮影者側の表示部の他に被写体側の表示部も備える撮像装置では、被写体の顔を正面から撮影したいと思っても、被写体が興味をもっていない画像が被写体側の表示部に表示される場合、被写体の意識を撮像装置に向かせることが難しくなり被写体の顔を正面から撮影できないおそれがある。
【０００５】
そこで、本発明では、撮影者の意図する撮影を行い易くすることが可能な撮像装置及び撮像システムを提供することを目的とする。
【課題を解決するための手段】
【０００６】
本発明の撮像装置は、第１撮像手段と、前記第１撮像手段の撮像方向を正面方向、その正面方向と反対方向を背面方向と定義するとき、画像の表示方向が前記正面方向となるように配置される第１表示手段と、画像の表示方向が前記背面方向となるように配置され、前記第１撮像手段により撮像される画像を表示する第２表示手段と、画像を記憶する記憶手段と、第１入力手段と、前記第１入力手段により入力されるエフェクト指示に基づいて前記記憶手段に記憶されたスルー画像に対して画像処理を施すとともに、該画像処理後の画像を前記第１表示手段に表示し、さらに前記第1入力手段により入力される撮影指示に基づいて画像処理後の高精細な記録用画像を記憶する制御を行う制御手段とを備える。
【発明の効果】
【０００７】
本発明によれば、撮影者の意図する撮影を行い易くすることができる。
【図面の簡単な説明】
【０００８】
【図１】本発明の第１実施形態の撮像装置を示す図である。
【図２】撮像装置の使用例を示す図である。
【図３Ａ】第１実施形態の撮像装置の一例（その１）の正面図である。
【図３Ｂ】第１実施形態の撮像装置の一例（その１）の背面図である。
【図３Ｃ】第１実施形態の撮像装置の一例（その１）の上面図である。
【図３Ｄ】第１実施形態の撮像装置の一例（その１）の側面図である。
【図４Ａ】第１実施形態の撮像装置の一例（その２）の正面図である。
【図４Ｂ】第１実施形態の撮像装置の一例（その２）の背面図である。
【図４Ｃ】第１実施形態の撮像装置の一例（その２）の上面図である。
【図４Ｄ】第１実施形態の撮像装置の一例（その２）の側面図である。
【図５Ａ】撮影者側の表示部に表示される画像の一例を示す図である。
【図５Ｂ】被写体側の表示部に表示される画像の一例を示す図である。
【図６Ａ】撮影者側の表示部に表示される画像の一例を示す図である。
【図６Ｂ】被写体側の表示部に表示される画像の一例を示す図である。
【図７Ａ】撮影者側の表示部に表示される画像の一例を示す図である。
【図７Ｂ】被写体側の表示部に表示される画像の一例を示す図である。
【図７Ｃ】被写体側の表示部に表示される画像の一例を示す図である。
【図７Ｄ】被写体側の表示部に表示される画像の一例を示す図である。
【図７Ｅ】被写体側の表示部に表示される画像の一例を示す図である。
【図８】記憶部に記憶されるテーブルの一例を示す図である。
【図９Ａ】撮影者側の表示部に表示される画像の一例を示す図である。
【図９Ｂ】被写体側の表示部に表示される画像の一例を示す図である。
【図１０】本発明の第２実施形態の撮像装置を示す図である。
【図１１Ａ】撮影者側の表示部に表示される画像の一例を示す図である。
【図１１Ｂ】被写体側の表示部に表示される画像の一例を示す図である。
【図１２】記憶部に記憶されるテーブルの一例を示す図である。
【図１３Ａ】撮影者側の表示部に表示される画像の一例を示す図である。
【図１３Ｂ】被写体側の表示部に表示される画像の一例を示す図である。
【図１４】本発明の第３実施形態の撮像装置を示す図である。
【図１５Ａ】第３実施形態の撮像装置の一例（その１）の正面図である。
【図１５Ｂ】第３実施形態の撮像装置の一例（その１）の背面図である。
【図１５Ｃ】第３実施形態の撮像装置の一例（その１）の上面図である。
【図１５Ｄ】第３実施形態の撮像装置の一例（その１）の側面図である。
【図１６Ａ】第３実施形態の撮像装置の一例（その２）の正面図である。
【図１６Ｂ】第３実施形態の撮像装置の一例（その２）の背面図である。
【図１６Ｃ】第３実施形態の撮像装置の一例（その２）の上面図である。
【図１６Ｄ】第３実施形態の撮像装置の一例（その２）の側面図である。
【図１７】本発明の第４実施形態の撮像装置を示す図である。
【図１８Ａ】第４実施形態の撮像装置の一例の正面図である。
【図１８Ｂ】第４実施形態の撮像装置の一例の背面図である。
【図１８Ｃ】第４実施形態の撮像装置の一例の上面図である。
【図１８Ｄ】第４実施形態の撮像装置の一例の側面図である。
【図１９】本発明の第５実施形態の撮像装置を示す図である。
【図２０】分類部の動作を示すフローチャートである。
【図２１】記憶部に記憶されるテーブルの一例を示す図である。
【図２２】本発明の実施形態の撮像システムを示す図である。
【発明を実施するための形態】
【０００９】
＜第１実施形態＞
【００１０】
図１は、本発明の第１実施形態の撮像装置を示す図である。
【００１１】
図１に示す撮像装置１０は、例えば、デジタルカメラ、カメラ付き携帯電話、スマートフォン、又はタブレットＰＣなどであって、撮像部１１と、表示部１２、１３と、記憶部１４と、入力部１５と、制御部１６とを備える。なお、図２に示すように、撮像部１１の撮像方向を正面方向とし、その正面方向と反対方向を背面方向とする。
【００１２】
撮像部１１は、正面方向に被写体Ｂが位置している場合、その被写体Ｂを撮像する。また、撮像部１１は、例えば、レンズによってＣＣＤ（Charge Coupled Device）などの撮像素子に結像される被写体像をその撮像素子において電気信号に変換し画像とするとともに、その画像に対してシャープネス補正回路、コントラスト補正回路、輝度・色差信号生成回路、及びホワイトバランス補正回路などを用いて各種画像処理を行う。
【００１３】
表示部１２は、画像の表示方向が正面方向となるように配置されている。これにより、被写体Ｂは表示部１２に表示される画像を見ることができる。
【００１４】
表示部１３は、画像の表示方向が背面方向となるように配置され、撮像部１１により撮像される画像や撮像装置１０の動作を制御するためのＧＵＩ（Graphical User Interface）などを表示する。これにより、撮影者Ａは表示部１３に表示される画像を見ることができる。
【００１５】
記憶部１４は、オペレーティングシステムのプログラム、各種アプリケーションソフト、撮像素子から出力される表示用に間引かれたスルー画像（（撮像素子の間引き撮像で撮像された画像で、一時的に記録する）や、撮像素子の間引き撮像でスルー画像のときよりも間引き率が低い、又は、撮像素子で間引きされないで撮像される画像である記録用の静止画や動画（高精細な画像）などの各種画像（例えば、後述するキャラクタを示す画像やエフェクト用画像など）、及び外部から入力される画像などを記憶する。なお、記憶部１４は、例えば、ＲＯＭ（Read Only Memory）、ＲＡＭ（Random Access Memory）、不揮発性メモリ、又はフラッシュメモリなどにより構成され、ハードディスクなど撮像装置１０に内蔵される記憶媒体であってもよいし、ＣＤ（Compact Disc）、ＤＶＤ（Digital Versatile Disc）、メモリカード、又はＵＳＢメモリなど撮像装置１０に着脱可能な記憶媒体であってもよい。
【００１６】
入力部１５は、撮影者Ａなどの操作に応じて、撮像部１１から読み取られたスルー画像に注意を促すためのエフェクト処理がかかるエフェクト指示や、撮像部１１から読み取られた高精細な記録画像を記憶部１４に保存する撮影指示が入力される。  
【００１７】
制御部１６は、撮像部１１により撮像される画像を表示部１２や表示部１３に表示させる。また、制御部１６は、入力部１５により入力されるエフェクト指示に基づいて記憶部１４に記憶されているスルー画像に対して画像処理を施し、その画像処理後の画像を表示部１２に表示させる。また、制御部１６は、入力部１５により入力される撮影指示に基づいて撮像部１１により撮像される画像を記憶部１４に記憶させる。なお、制御部１６は、例えば、ＤＳＰ（Digital Signal Processor）が記憶部１４に記憶されるアプリケーションソフトを実行することにより実現されてもよいし、ＦＰＧＡ（Field Programmable Gate Array）やＡＳＩＣ（Application Specific Integrated Circuit）などを利用して実現されてもよい。
【００１８】
これにより、記憶部１４に記憶されている画像が被写体Ｂに興味を持たせることができない場合であっても、その画像に対して画像処理が施されるため、記憶部１４に記憶されている画像に変化を与えて表示部１２に表示させることができ、被写体Ｂの意識を撮像装置１０へ向かせることができる。そのため、例えば、撮影者Ａが被写体Ｂの顔を正面から撮影したいと思った場合に、被写体Ｂの顔を撮像装置１０に向かせることができる。すなわち、撮影者Ａの意図する撮影を行い易くすることができる。
【００１９】
例えば、図３Ａ〜図３Ｄに示す撮像装置１０の一例（その１）では、表示部１３及び入力部１５がタッチパネルディスプレイで構成されている。例えば、撮影者Ａにより、そのタッチパネルディスプレイがタッチされると、タッチされた旨を示す指示が制御部１６に入力される。
【００２０】
また、例えば、図４Ａ〜図４Ｄに示す撮像装置１０の一例（その２）では、撮像装置１０の上面において、入力部１５としての十字キーや決定キーなどが、撮影者Ａが操作し易い位置に配置されている。例えば、入力部１５としての十字キーや決定キーなどが撮影者Ａなどにより操作されると、その操作に応じた指示が制御部１６に入力される。
【００２１】
また、例えば、図５Ａに示すように、撮影者Ａによりタッチパネルディスプレイである表示部１３及び入力部１５がタッチされると、そのタッチ位置を示す指示が制御部１６に入力される。制御部１６は、その指示が示すタッチ位置に対応する記憶部１４内のキャラクタを示す画像の位置に、記憶部１４内のエフェクト用画像としての星型の画像を、例えば、図５Ｂに示すように、重畳させて表示部１２に表示させる。なお、エフェクト用画像が重畳される画像はキャラクタが示される画像に限定されない。また、エフェクト用画像は星型の画像以外にもハート型の画像などを採用してもよく特に限定されない。
【００２２】
また、例えば、図６Ａに示すように、撮影者Ａによりタッチパネルディスプレイである表示部１３及び入力部１５が複数回タッチされると、それらタッチ位置を示す指示が制御部１６に入力される。制御部１６は、その指示が示す各タッチ位置にそれぞれ対応する記憶部１４内のキャラクタを示す画像の位置に、記憶部１４内のエフェクト用画像としての星型の画像を、例えば、図６Ｂに示すように、連続して重畳させて表示部１２に表示させる。このように、ある画像にエフェクト用画像を連続して重畳させる場合では、エフェクト用画像を用いて文字を描くことも可能である。この場合、エフェクト用画像を用いた文字で被写体Ｂに撮影者Ａの意図を伝えることができる。
【００２３】
また、例えば、撮像装置１０の電源が入る又は撮像装置１０の動作モードが撮影モードになると、制御部１６は、図７Ａに示すように、被写体Ｂに伝えたい撮影者Ａの意図としてのアイコンＩ１〜Ｉ４を示す画面をタッチパネルディスプレイである表示部１３及び入力部１５に表示させる。このとき、撮影者ＡによりアイコンＩ１がタッチされると、アイコンＩ１がタッチされた旨を示す指示が制御部１６に入力される。すると、制御部１６は、記憶部１４に記憶される図８に示すテーブル８０を参照してアイコンＩ１に対応するエフェクト用画像としての画像Ｐ１を記憶部１４から取り出す。そして、制御部１６は、図７Ｂに示すように、その取り出した「スマイルマーク」と「笑って」という文字を示す画像Ｐ１を、無地（例えば、白地）の画像に重畳させて表示部１２に表示させる。これにより、被写体Ｂに笑ってほしいという撮影者Ａの意図を絵と文字によって被写体Ｂに伝えることができる。また、文字を読むことが難しい被写体Ｂに対しても、被写体Ｂに笑ってほしいという撮影者Ａの意図を絵によって被写体Ｂに伝えることができる。
【００２４】
なお、制御部１６は、被写体Ｂの母国語を変更する旨を示す指示が入力されると、その指示に基づいて、例えば、図７Ｃに示すように、画像Ｐ１の「笑って」という文字をハングル文字に変更するように構成してもよい。このように、被写体Ｂの母国語に応じてエフェクト用画像に示される文字を変更することで、被写体Ｂに撮影者Ａの意図をより確実に伝えることができる。
【００２５】
また、例えば、図７Ａにおいて、撮影者ＡによりアイコンＩ３がタッチされた旨を示す指示が制御部１６に入力されると、制御部１６は、図８に示すテーブル８０を参照してアイコンＩ３に対応するエフェクト用画像としての画像Ｐ３を記憶部１４から取り出す。そして、制御部１６は、図７Ｄに示すように、その取り出した「右向きの矢印」と「右によって」という文字を示す画像Ｐ３を無地（例えば、白地）の画像に重畳させて表示部１２に表示させる。これにより、被写体Ｂに右によってほしいという撮影者Ａの意図を絵や文字によって被写体Ｂに伝えることができる。また、文字を読むことが難しい被写体Ｂに対しても、被写体Ｂに右によってほしいという撮影者Ａの意図を絵によって被写体Ｂに伝えることができる。
【００２６】
また、例えば、図７Ａにおいて、撮影者ＡによりアイコンＩ４がタッチされた旨を示す指示が制御部１６に入力されると、制御部１６は、図８に示すテーブル８０を参照してアイコンＩ４に対応するエフェクト用画像としての画像Ｐ４を記憶部１４から取り出す。そして、制御部１６は、図７Ｅに示すように、その取り出した「セルフタイマー撮影時のカウントダウンの数字」を示す画像Ｐ４１〜Ｐ４３（「３」を示す画像Ｐ４１、「２」を示す画像Ｐ４２、及び「１」を示す画像Ｐ４３）を、撮像部１１により撮像される画像（スルー画像）に順番に重畳させて表示部１２に表示させる。これにより、セルフタイマーで撮影したいという撮影者Ａの意図を数字によって被写体Ｂに伝えることができる。また、撮像部１１により撮像される画像が表示部１２に表示されるため、被写体Ｂは自分が現在どのように撮影されているかを確認することができる。
【００２７】
また、例えば、入力部１５がマイクであって音声による指示が制御部１６に入力される場合、制御部１６は、その音声を認識し、その音声認識結果に対応する画像処理を記憶部１４に記憶される画像に対して施すように構成してもよい。例えば、図９Ａに示すように、撮影者Ａにより入力部１５へ「変顔して」という音声が入力されると、制御部１６は、図９Ｂに示すように、撮像部１１により撮像される画像（スルー画像）内の被写体Ｂの顔を変形する。これにより、変顔してほしいという撮影者Ａの意図を被写体Ｂに伝えることができる。また、被写体Ｂが写る画像が表示部１２に表示されるため、被写体Ｂが子供の場合などでは、自分の顔が表示部１２に表示されていることに興味を持ち撮像装置１０への意識が高まる可能性があり、撮影者Ａの意図をより伝え易くすることができる。なお、制御部１６は、入力部１５により入力される音声による指示に基づいて記憶部１４に記憶されている画像にエフェクト用画像を重畳させたり、記憶部１４に記憶されている画像を変形させたりしてもよい。
＜第２実施形態＞
【００２８】
図１０は、本発明の第２実施形態の撮像装置を示す図である。なお、図１に示す構成と同じ構成には同じ符号を付しその説明を省略する。
【００２９】
図１０に示す撮像装置１００において図１に示す撮像装置１０と異なる点は、さらに、音声出力部１０１を備えている点である。
【００３０】
図１０に示す制御部１６は、入力部１５により入力される指示に基づいて記憶部１４に記憶されている画像に対して画像処理を施し、その画像処理後の画像を表示部１２に表示させるとともに、入力部１５により入力される指示に対応する音声を記憶部１４から取り出し、その取り出した音声を音声出力部１０１から出力させる。
【００３１】
例えば、図１１Ａにおいて、撮影者ＡによりアイコンＩ３がタッチされると、アイコンＩ３がタッチされた旨を示す指示が制御部１６に入力される。すると、制御部１６は、図１２に示すテーブル１２０を参照してアイコンＩ３に対応するエフェクト用画像としての画像Ｐ３及び音声Ｓ３（「右によって」という音声）を記憶部１４から取り出す。そして、制御部１６は、図１１Ｂに示すように、その取り出した画像Ｐ３を無地の画像に重畳させて表示部１２に表示させるとともに、その取り出した音声Ｓ３を音声出力部１０１から出力させる。
【００３２】
図１０に示す撮像装置１００によれば、絵や文字の他に音によって、撮影者Ａの意図を被写体Ｂに伝えることができるので、撮影者Ａの意図する撮影をより行い易くすることができる。
【００３３】
また、例えば、撮影者Ａの意図を被写体Ｂに伝えた後、さらに、図１３Ａに示すように、撮影者Ａによりタッチパネルディスプレイである表示部１３及び入力部１５がタッチされると、制御部１６が、そのタッチされた旨を示す指示に基づいて、音声を記憶部１４から取り出し、その取り出した音声を、例えば、図１３Ｂに示すように、音声出力部１０１から出力させるように構成してもよい。なお、この場合、制御部１６は、複数種類の音声のうち、タッチ位置に応じた音声を記憶部１４から取り出して音声出力部１０１から出力させるように構成してもよい。これにより、撮影者Ａがタッチパネルディスプレイをタッチするタイミングで、被写体Ｂの意識を撮像装置１００へ向かせることができるため、任意のタイミングで撮影者Ａの意図を被写体Ｂに伝えることができる。
＜第３実施形態＞
【００３４】
図１４は、本発明の第２実施形態の撮像装置を示す図である。なお、図１に示す構成と同じ構成には同じ符号を付しその説明を省略する。
【００３５】
図１４に示す撮像装置１４０において図１に示す撮像装置１０と異なる点は、さらに、背面方向を撮像する撮像部１４１を備えている点である。
【００３６】
撮像部１４１は、背面方向に撮影者Ａが位置している場合、その撮影者Ａを撮像する。また、撮像部１４１は、例えば、レンズによってＣＣＤなどの撮像素子に結像される被写体像をその撮像素子において電気信号に変換し画像とするとともに、その画像に対してシャープネス補正回路、コントラスト補正回路、輝度・色差信号生成回路、及びホワイトバランス補正回路などを用いて各種画像処理を行う。
【００３７】
図１４に示す制御部１６は、撮像部１１により撮像される画像を表示部１３に表示させるとともに、入力部１５により入力される指示に基づいて撮像部１４１により撮像される画像を表示部１２に表示させる。また、図１４に示す制御部１６は、入力部１５により入力されるエフェクト指示に基づいて、撮像部１４１により撮像される画像に画像処理を施し、その画像処理後の画像を表示部１２に表示させる。また、図１４に示す制御部１６は、入力部１５により入力される撮影指示に基づいて、撮像部１１により撮像される高精細な記録画像や撮像部１４１により撮像される高精細な記録画像又はその画像処理後の画像を記憶部１４に記憶させる。
【００３８】
また、例えば、図１５Ａ〜図１５Ｄに示す撮像装置１４０の一例（その１）では、表示部１２の上に撮像部１１が配置され、タッチパネルディスプレイである表示部１３及び入力部１５の上に撮像部１４１が配置されている。
【００３９】
なお、図１６Ａ〜図１６Ｄに示す撮像装置１４０の一例（その２）のように、撮像部１１が３６０度全方位を撮像することができる場合では、撮像部１４１を備える必要がない。この場合、制御部１６は、撮像部１１により撮像される正面方向の画像を表示部１３に表示させ、撮像部１１により撮像される背面方向の画像を表示部１２に表示させる。
【００４０】
図１４に示す撮像装置１４０によれば、例えば、母親が赤ん坊を撮影する場合、母親が写る画像を表示部１２に表示させることができるので、赤ん坊が安心し、赤ん坊の笑顔を撮影し易くすることができる。また、母親が写る画像に画像処理を施すことができるため、赤ん坊の意識が撮像装置１４０に向く可能性が高くなり、赤ん坊を正面から撮影し易くすることができる。
＜第４実施形態＞
【００４１】
図１７は、本発明の第４実施形態の撮像装置を示す図である。なお、図１４に示す構成と同じ構成には同じ符号を付しその説明を省略する。
【００４２】
図１７に示す撮像装置１７０において図１４に示す撮像装置１４０と異なる点は、さらに、入力部１７１を備えている点である。
【００４３】
入力部１７１は、被写体Ｂなどの操作に応じた指示が入力される。
【００４４】
例えば、図１８Ａ〜図１８Ｄに示す撮像装置１７０の一例では、表示部１２及び入力部１７１がタッチパネルディスプレイで構成されている。例えば、被写体Ｂにより、そのタッチパネルディスプレイがタッチされると、タッチされた旨を示す指示が制御部１６に入力される。そして、図１７に示す制御部１６は、例えば、入力される指示が示すタッチ位置に対応する記憶部１４内のキャラクタを示す画像の位置に、記憶部１４内のエフェクト用画像を重畳させて表示部１２に表示させる。
【００４５】
また、図１７に示す制御部１６は、入力部１７１により入力されるエフェクト指示に基づいて、撮像部１４１により撮像された表示用画像（スルー画）に対して画像処理を施し（例えば、撮像部１４１により撮像される画像に別の画像を重畳させたり、撮像部１４１により撮像される画像を変形させたりして）、その画像処理後の画像を表示部１２に表示させるように構成してもよい。
【００４６】
また、図１７に示す制御部１６は、入力部１７１により入力されるエフェクト指示に基づいて、撮像部１４１により撮像された表示用画像（スルー画）に対して画像処理を施している間に、入力部１５により入力される新たな撮影指示に基づいて撮像部１１により読み取られた高精細な記録画像を記憶部に保存させるように構成してもよい。
【００４７】
また、図１７に示す制御部１６は、入力部１７１により入力されるエフェクト指示に基づいて、撮像部１４１により撮像された表示用画像（スルー画）に対して画像処理を施している間に、入力部１７１により入力される新たな撮影指示に基づいて撮像部１１により読み取られた高精細な記録画像を記憶部に保存させるように構成してもよい。
【００４８】
また、図１７に示す制御部１６は、入力部１７１により入力されるエフェクト指示に基づいて、撮像部１４１により撮像された表示用画像（スルー画）に対して画像処理を施している間に、入力部１７１により入力された新たな撮影指示があった場合、表示部１２に表示されている画像を記憶部に記憶させるように構成してもよい。
【００４９】
また、図１７に示す制御部１６は、入力部１７１により入力されるエフェクト指示に基づいて、撮像部１４１により撮像された表示用画像（スルー画）に対して画像処理を施している間に、入力部１５により入力された新たな撮影指示があった場合、表示部１２に表示されている画像を記憶部に記憶させるように構成してもよい。
【００５０】
また、図１７に示す制御部１６は、入力部１７１により入力される撮影指示に基づいて、撮像部１４１により撮像される高精細な記録用画像又はその画像処理後の画像を記憶部１４に記憶させる。
【００５１】
また、図１７に示す制御部１６は、入力部１７１により入力されるエフェクト指示に基づいて、撮像部１１により撮像された表示用画像（スルー画）に対して画像処理を施し（例えば、撮像部１１により撮像された画像に別の画像を重畳させたり、撮像部１１により撮像される画像を変形させたりして）、その画像処理後の画像を表示部１２に表示させるように構成してもよい。
【００５２】
また、図１７に示す制御部１６は、入力部１７１により入力されるエフェクト指示に基づいて、撮像部１１により撮像された表示用画像（スルー画）に対して画像処理を施している間に、入力部１５により入力される新たな撮影指示に基づいて撮像部１１により読み取られた高精細な記録画像を記憶部に保存させるように構成してもよい。
【００５３】
また、図１７に示す制御部１６は、入力部１７１により入力されるエフェクト指示に基づいて、撮像部１１により撮像された表示用画像（スルー画）に対して画像処理を施している間に、入力部１７１により入力される新たな撮影指示に基づいて撮像部１１により読み取られた高精細な記録画像を記憶部に保存させるように構成してもよい。
【００５４】
また、図１７に示す制御部１６は、入力部１７１により入力されるエフェクト指示に基づいて、撮像部１１により撮像された表示用画像（スルー画）に対して画像処理を施している間に、入力部１７１により入力された新たな撮影指示があった場合、表示部１２に表示されている画像を記憶部に記憶させるように構成してもよい。
【００５５】
また、図１７に示す制御部１６は、入力部１７１により入力されるエフェクト指示に基づいて、撮像部１１により撮像された表示用画像（スルー画）に対して画像処理を施している間に、入力部１５により入力された新たな撮影指示があった場合、表示部１２に表示されている画像を記憶部に記憶させるように構成してもよい。
【００５６】
また、図１７に示す制御部１６は、入力部１７１により入力される撮影指示に基づいて、撮像部１１により撮像される高精細な記録用画像又はその画像処理後の画像を記憶部１４に記憶させる。
【００５７】
図１７に示す撮像装置１７０によれば、被写体Ｂによって表示部１２に表示される画像を変化させることができるため、被写体Ｂの意識が撮像装置１７０に向く可能性が高くなる。そのため、撮影者Ａの意図を被写体Ｂに伝え易くなり、撮影者Ａの意図する撮影を行い易くすることができる。
＜第５実施形態＞
【００５８】
図１９は、本発明の第５実施形態の撮像装置を示す図である。なお、図１に示す構成と同じ構成には同じ符号を付しその説明を省略する。
【００５９】
図１９に示す撮像装置１９０において図１に示す撮像装置１０と異なる点は、さらに、分類部１９１と、通信部１９２とを備えている点である。
【００６０】
分類部１９１は、撮像部１１により撮像される画像が、複数のグループのうちのどのグループに属するかを判断する。
【００６１】
図１９に示す制御部１６は、分類部１９１により判断されるグループに対応する画像を記憶部１４から取り出し、その取り出した画像を表示部１２に表示させる。
【００６２】
通信部１９２は、外部端末１９３から送信される、上記複数のグループにそれぞれ対応する画像を受信し、記憶部１４に記憶させる。
【００６３】
図２０は、分類部１９１の動作を示すフローチャートである。
【００６４】
まず、分類部１９１は、撮像部１１により撮像される画像において被写体Ｂの顔を検出し（Ｓ１）、その検出した顔の認証処理を行い、その認証処理により被写体Ｂを特定することができたか否かを判断する（Ｓ２）。なお、顔の認証処理は、特に限定されず、既存の認証処理を用いることができる。
【００６５】
被写体Ｂを特定することができた場合（Ｓ２がＹｅｓ）、分類部１９１は、その認証処理で特定された被写体Ｂに対応する画像（例えば、特定された被写体Ｂが興味を持っている画像など）を記憶部１４から取り出して制御部１６に送る（Ｓ３）。
【００６６】
一方、被写体Ｂを特定することができない場合（Ｓ２がＮｏ）、分類部１９１は、Ｓ１で検出した顔に基づいて、被写体Ｂの性別が「女性」で、かつ、被写体Ｂの年齢が「１０代」であると判断した場合（Ｓ４がＹｅｓ、Ｓ５がＹｅｓ）、図２１に示すテーブル２１０を参照して、「１０代女性」に対応する画像Ｐｗ１（例えば、１０代の女性が興味を持つと思われる画像など）を記憶部１４から取り出して制御部１６に送る（Ｓ６）。
【００６７】
また、分類部１９１は、Ｓ１で検出した顔に基づいて、被写体Ｂの性別が「女性」で、かつ、被写体Ｂの年齢が「２０代」であると判断した場合（Ｓ４がＹｅｓ、Ｓ７がＹｅｓ）、図２１に示すテーブル２１０を参照して、「２０代女性」に対応する画像Ｐｗ２（例えば、２０代の女性が興味を持つと思われる画像など）を記憶部１４から取り出して制御部１６に送る（Ｓ８）。
【００６８】
また、分類部１９１は、Ｓ１で検出した顔に基づいて、被写体Ｂの性別が「女性」で、かつ、被写体Ｂの年齢が「３０代」であると判断した場合（Ｓ４がＹｅｓ、Ｓ９がＹｅｓ）、図２１に示すテーブル２１０を参照して、「３０代女性」に対応する画像Ｐｗ３（例えば、３０代の女性が興味を持つと思われる画像など）を記憶部１４から取り出して制御部１６に送る（Ｓ１０）。
【００６９】
また、分類部１９１は、Ｓ１で検出した顔に基づいて、被写体Ｂの性別が「女性」で、かつ、被写体Ｂの年齢が「４０代」であると判断した場合（Ｓ４がＹｅｓ、Ｓ１１がＹｅｓ）、図２１に示すテーブル２１０を参照して、「４０代女性」に対応する画像Ｐｗ４（例えば、４０代の女性が興味を持つと思われる画像など）を記憶部１４から取り出して制御部１６に送る（Ｓ１２）。
【００７０】
また、分類部１９１は、Ｓ１で検出した顔に基づいて、被写体Ｂの性別が「女性」で、かつ、被写体Ｂの年齢が「５０代」であると判断した場合（Ｓ４がＹｅｓ、Ｓ１３がＹｅｓ）、図２１に示すテーブル２１０を参照して、「５０代女性」に対応する画像Ｐｗ５（例えば、５０代の女性が興味を持つと思われる画像など）を記憶部１４から取り出して制御部１６に送る（Ｓ１４）。
【００７１】
また、分類部１９１は、Ｓ１で検出した顔に基づいて、被写体Ｂの性別が「男性」で、かつ、被写体Ｂの年齢が「１０代」であると判断した場合（Ｓ４がＮｏ、Ｓ１５がＹｅｓ）、図２１に示すテーブル２１０を参照して、「１０代男性」に対応する画像Ｐｍ１（例えば、１０代の男性が興味を持つと思われる画像など）を記憶部１４から取り出して制御部１６に送る（Ｓ１６）。
【００７２】
また、分類部１９１は、Ｓ１で検出した顔に基づいて、被写体Ｂの性別が「男性」で、かつ、被写体Ｂの年齢が「２０代」であると判断した場合（Ｓ４がＮｏ、Ｓ１７がＹｅｓ）、図２１に示すテーブル２１０を参照して、「２０代男性」に対応する画像Ｐｍ２（例えば、２０代の男性が興味を持つと思われる画像など）を記憶部１４から取り出して制御部１６に送る（Ｓ１８）。
【００７３】
また、分類部１９１は、Ｓ１で検出した顔に基づいて、被写体Ｂの性別が「男性」で、かつ、被写体Ｂの年齢が「３０代」であると判断した場合（Ｓ４がＮｏ、Ｓ１９がＹｅｓ）、図２１に示すテーブル２１０を参照して、「３０代男性」に対応する画像Ｐｍ３（例えば、３０代の男性が興味を持つと思われる画像など）を記憶部１４から取り出して制御部１６に送る（Ｓ２０）。
【００７４】
また、分類部１９１は、Ｓ１で検出した顔に基づいて、被写体Ｂの性別が「男性」で、かつ、被写体Ｂの年齢が「４０代」であると判断した場合（Ｓ４がＮｏ、Ｓ２１がＹｅｓ）、図２１に示すテーブル２１０を参照して、「４０代男性」に対応する画像Ｐｍ４（例えば、４０代の男性が興味を持つと思われる画像など）を記憶部１４から取り出して制御部１６に送る（Ｓ２２）。
【００７５】
また、分類部１９１は、Ｓ１で検出した顔に基づいて、被写体Ｂの性別が「男性」で、かつ、被写体Ｂの年齢が「５０代」であると判断した場合（Ｓ４がＮｏ、Ｓ２３がＹｅｓ）、図２１に示すテーブル２１０を参照して、「５０代男性」に対応する画像Ｐｍ５（例えば、５０代の男性が興味を持つと思われる画像など）を記憶部１４から取り出して制御部１６に送る（Ｓ２４）。
【００７６】
また、分類部１９１は、Ｓ１で検出した顔に基づいて、被写体Ｂの性別や年齢を特定することができない場合（Ｓ１３がＮｏ、又は、Ｓ２３がＮｏ）、予め記憶部１４に記憶されている所定の画像（例えば、性別や年齢に関係なく被写体Ｂが興味を持つと思われる画像など）を記憶部１４から取り出して制御部１６に送る。
【００７７】
そして、制御部１６は、分類部１９１から送られてきた画像を表示部１２に表示させる。
【００７８】
図１９に示す撮像装置１９０によれば、被写体Ｂが興味を持っている画像又は性別や年齢に応じて被写体Ｂが興味を持っていると思われる画像を表示部１２に自動的に表示させることができるため、被写体Ｂの意識が撮像装置１９０に向く可能性が高くなり、撮影者Ａの意図を被写体Ｂに伝え易くすることができる。
【００７９】
図２２は、本発明の実施形態の撮像システムを示す図である。なお、図１９に示す構成と同じ構成には同じ符号を付している。
【００８０】
図２２に示す撮像システム２２０は、撮像装置２２１、２２２と、撮像装置２２１、２２２を互いに連結する連結部２２３とを備える。
【００８１】
撮像装置２２１は、撮像部１１と、表示部１２と、記憶部１４と、入力部１７１と、制御部１６と、通信部２２４とを備える。
【００８２】
撮像装置２２２は、撮像部１４１と、表示部１３と、記憶部１４と、入力部１５と、制御部１６と、通信部２２５とを備える。
【００８３】
通信部２２４は、撮像装置２２１の撮像部１１により撮像される表示用画像（スルー画）を連結部２２３を介して通信部２２５に送る。通信部２２５は、通信部２２４から送られてくる画像を撮像装置２２２の制御部１６に送る。撮像装置２２２の制御部１６は、撮像装置２２１から送られてくる画像を表示部１３に表示させる。これにより、撮像部１１の撮像方向（正面方向）に被写体Ｂが位置している場合、被写体Ｂが写る画像（スルー画像）を撮影者Ａ側の表示部１３に表示させることができる。また、このとき、撮像装置２２２の制御部１６は、入力部１５により入力される撮影指示に基づいて撮像装置２２１から送られてくる高精細な記録用画像を撮像装置２２２の記憶部１４に記憶させる。
【００８４】
通信部２２５は、撮像装置２２２の撮像部１４１により撮像される表示用画像（スルー画）を連結部２２３を介して通信部２２４に送る。通信部２２４は、通信部２２５から送られてくる画像を撮像装置２２１の制御部１６に送る。撮像装置２２１の制御部１６は、撮像装置２２２から送られてくる画像を表示部１２に表示させる。これにより、撮像部１４１の撮像方向（正面方向の反対方向である背面方向）に撮影者Ａが位置している場合、撮影者Ａが写る画像（スルー画像）を被写体Ｂ側の表示部１２に表示させることができる。また、このとき、撮像装置２２１の制御部１６は、入力部１７１により入力される撮影指示に基づいて撮像装置２２２から送られてくる高精細な記録用画像を撮像装置２２１の記憶部１４に記憶させる。
【００８５】
また、通信部２２５は、撮像装置２２２の入力部１５により入力されるエフェクト指示を連結部２２３を介して通信部２２４に送る。通信部２２４は、通信部２２５から送られてくる指示を撮像装置２２１の制御部１６に送る。撮像装置２２１の制御部１６は、その指示に基づいて、撮像装置２２１の記憶部１４に記憶されている画像（例えば、キャラクタを示す画像など）又は撮像装置２２１の撮像部１１により撮像された表示用画像（スルー画像）に対して画像処理を施し、その画像処理後の画像を表示部１２に表示させる。
【００８６】
なお、撮像装置２２２の制御部１６が、入力部１５により入力されるエフェクト指示に基づいて撮像装置２２２の記憶部１４に記憶されている画像又は撮像装置２２２の撮像部１４１により撮像された表示用画像（スルー画像）に対して画像処理を施し、その画像処後の画像を通信部２２５から連結部２２３を介して通信部２２４に送り、撮像装置２２１の制御部１６が、通信部２２５から送られてくる画像を表示部１２に表示させるように構成してもよい。
【００８７】
このように、撮像装置２２１、２２２を連結部２２３を介して連結させることにより、撮像装置２２２の入力部１５により入力されるエフェクト指示に基づいて画像処理された画像を撮像装置２２１の表示部１２に表示させることができる。そのため、上記第１〜第５実施形態の撮像装置と同様に、記憶部１４に記憶されている画像が被写体Ｂに興味を持たせることができない場合であっても、その画像に対して画像処理が施されるため、記憶部１４に記憶されている画像に変化を与えて表示部１２に表示させることができ、被写体Ｂの意識を撮像装置１０へ向かせることができる。そのため、例えば、撮影者Ａが被写体Ｂの顔を正面から撮影したいと思った場合に、被写体Ｂの顔を撮像装置１０に向かせることができる。すなわち、撮影者Ａの意図する撮影を行い易くすることができる。
【符号の説明】
【００８８】
１０  撮像装置
１１  撮像部
１２  表示部
１３  表示部
１４  記憶部
１５  入力部
１６  制御部
【図１】
2013126018.tif 000003
【図２】
2013126018.tif 000004
【図３Ａ】
2013126018.tif 000005
【図３Ｂ】
2013126018.tif 000006
【図３Ｃ】
2013126018.tif 000007
【図３Ｄ】
2013126018.tif 000008
【図４Ａ】
2013126018.tif 000009
【図４Ｂ】
2013126018.tif 000010
【図４Ｃ】
2013126018.tif 000011
【図４Ｄ】
2013126018.tif 000012
【図５Ａ】
2013126018.tif 000013
【図５Ｂ】
2013126018.tif 000014
【図６Ａ】
2013126018.tif 000015
【図６Ｂ】
2013126018.tif 000016
【図７Ａ】
2013126018.tif 000017
【図７Ｂ】
2013126018.tif 000018
【図７Ｃ】
2013126018.tif 000019
【図７Ｄ】
2013126018.tif 000020
【図７Ｅ】
2013126018.tif 000021
【図８】
2013126018.tif 000022
【図９Ａ】
2013126018.tif 000023
【図９Ｂ】
2013126018.tif 000024
【図１０】
2013126018.tif 000025
【図１１Ａ】
2013126018.tif 000026
【図１１Ｂ】
2013126018.tif 000027
【図１２】
2013126018.tif 000028
【図１３Ａ】
2013126018.tif 000029
【図１４】
2013126018.tif 000030
【図１５Ａ】
2013126018.tif 000031
【図１５Ｂ】
2013126018.tif 000032
【図１５Ｃ】
2013126018.tif 000033
【図１５Ｄ】
2013126018.tif 000034
【図１６Ａ】
2013126018.tif 000035
【図１６Ｂ】
2013126018.tif 000036
【図１６Ｃ】
2013126018.tif 000037
【図１６Ｄ】
2013126018.tif 000038
【図１７】
2013126018.tif 000039
【図１８Ａ】
2013126018.tif 000040
【図１８Ｂ】
2013126018.tif 000041
【図１８Ｃ】
2013126018.tif 000042
【図１８Ｄ】
2013126018.tif 000043
【図１９】
2013126018.tif 000044
【図２０】
2013126018.tif 000045
【図２１】
2013126018.tif 000046
【図２２】
2013126018.tif 000047
【図１３Ｂ】
2013126018.tif 000048